(57)【要約】      （修正有）【課題】ＬＣＤパネル洗浄のため搬送されるブラシ具であって、回転すべき管セットが、ステンレス鋼製の外管と炭素繊維製の内管とを備えるように設計されており、前記外管には、その表面にブリッスルが植設されたブラシセットが設けられていて、これにより、当該の軽量化を達成し得るブラシ具を提供する。【解決手段】使用時、ＬＣＤの搬送のために管セット１１の回転が行われ、そして、ＬＣＤパネルの洗浄のために該ＬＣＤパネルへのブラシセット１２の接触が行われる。回転される管セット１１は、ステンレス鋼製の外管１１１と炭素繊維製の内管１１２とから構成されるように設計されており、外管１１１の表面にブラシセット１２が設けられており、このようにして、洗浄のために搬送されるブラシ具を軽量化することができる。【選択図】図１
0003129603.tif 000002
【実用新案登録請求の範囲】
【請求項１】
ＬＣＤパネル洗浄のため搬送されるブラシ具であって、
厚さ１〜２ｍｍのステンレス鋼管である外管と、厚さ１〜４ｍｍの炭素繊維管である内管とで構成された管セットと、
前記管セットの前記外管の表面に設けられたブラシセットと、
前記管セットの前記表面に前記ブラシセットを固定するためのブラシ固定手段を備え、
ＬＣＤの搬送のためには前記管セットの回転が行われ、前記ＬＣＤパネルの洗浄のためには前記ＬＣＤパネルへの前記ブラシセットの接触が行われる、ブラシ具。
【請求項２】
前記ブラシセットは第１螺旋状ブラシと第２螺旋状ブラシとで構成されており、前記２つの螺旋状ブラシには、その螺旋状のラック状シャンクの表面にブリッスルが植設されており、前記第１螺旋状ブラシと前記第２螺旋状ブラシは、相互に交番するモードで配置構成されており、該配置構成では、前記第１螺旋状ブラシおよび第２螺旋状ブラシのラックの各リングが前記両螺旋状ブラシのうち他方の当該の隣接するリングと相互に交番するモードで配置構成される、請求項１に記載の、ＬＤＣパネル洗浄のため搬送されるブラシ具。
【考案の詳細な説明】
【技術分野】
【０００１】
本考案は、ＬＣＤパネル洗浄のため搬送されるブラシ具、特に、軽量化という効果を達成することを目的として、炭素繊維製の内管とステンレス鋼製の外管とで構成された回転管セットを備え、搬送されるブラシ具に関する。
【背景技術】
【０００２】
ＬＣＤの製造プロセスにおいて、厚さ３〜５ｍｍの複数のステンレス鋼から成る回転管が連続的に連結されて、１つの細長い搬送ベルトを形成し、それらの管を回転させることによって、管上に載置されたＬＣＤを製造プロセス中にすべての組み付けステーションに搬送することができる。
【考案の開示】
【考案が解決しようとする課題】
【０００３】
現在のＬＣＤはサイズが大きいため、搬送のために回転すべき管が以前よりもはるかに長くなる傾向にあり、搬送ベルト上の管が数百に及ぶことがあり、管の総重量を推定することが困難となる。したがって、管の開発において該管を軽量化するための改良の要望が出されている。
【課題を解決するための手段】
【０００４】
本考案の目的は、ＬＣＤパネル洗浄のため搬送されるブラシ具であって、回転すべき管セットが、ステンレス鋼製の外管と炭素繊維製の内管とを備えるように設計されており、前記外管には、その表面にブリッスルが植設されたブラシセットが設けられていて、これにより、当該の軽量化を達成し得るブラシ具を提供することである。
【０００５】
本考案の別の目的は、ＬＣＤパネル洗浄のため搬送されるブラシ具であって、ブラシセットは第１螺旋状ブラシと第２螺旋状ブラシとで構成されており、これら２つの螺旋状ブラシには、その螺旋状のラック状シャンクの表面にブリッスルが植設されており、またこれら２つの螺旋状ブラシは、相互に交番するモードで配置構成されており、該配置構成では、上記第１螺旋状ブラシおよび第２螺旋状ブラシのラックの各リングが上記両螺旋状ブラシのうち他方の当該の隣接するリングと相互に交番するモードで配置構成されるものであるブラシ具を提供することである。このような交番配置モードで、洗浄すべきＬＣＤパネルと接触するブラシセットの面積を増大させることができる。
【０００６】
本考案の構造的特徴は、添付図面を参照した本考案の好ましい実施形態の詳細な説明から明らかになるものである。
【考案を実施するための最良の形態】
【０００７】
図１および図２を参照すると、本考案において提供される、ＬＣＤパネル洗浄のため搬送されるブラシ具は主に、管セット１１、ブラシセット１２、およびブラシ固定手段１３を備えている。
【０００８】
管セット１１は、外管１１１と内管１１２で構成されている。外管１１１は厚さ１〜２ｍｍのステンレス鋼管であり、内管１１２は厚さ１〜４ｍｍの炭素繊維管である。これら２つの管の総厚は、厚さ３〜５ｍｍの従来型のステンレス鋼から成る回転管の厚さの範囲内に収まる。外管１１１の表面には、洗浄のためにパネルに接触することができるブラシセット１２が設けられている。ブラシセット１２は管セット１１の表面に固定されている。
【０００９】
使用時、ＬＣＤの搬送のために管セット１１の回転が行われ、そして、ＬＣＤパネルの洗浄のために該ＬＣＤパネルへのブラシセット１２の接触が行われる。
【００１０】
本考案においては、回転される管セット１１は、ステンレス鋼製の外管１１１と炭素繊維製の内管１１２とから構成されるように設計されており、外管１１１の表面にブラシセット１２が設けられており、このようにして、洗浄のために搬送されるブラシ具を軽量化することができる。
【００１１】
図３および図４を参照すると、ブラシセット１２は第１螺旋状ブラシ１２１と第２螺旋状ブラシ１２２とで構成されている。これら２つの螺旋状ブラシ１２１および１２２には、その螺旋状のラック状シャンク１２１ａおよび１２２ａの表面にブリッスル１２１ｂおよび１２２ｂが植設されている。そして、これらの２つの螺旋状ブラシ１２１および１２２は、相互に交番するモードで配置構成されており、該配置構成では、第１螺旋状ブラシ１２１および第２螺旋状ブラシ１２２の螺旋状のラック状シャンク１２１ａおよび１２２ａの各リングが上記両螺旋状ブラシ１２１および１２２のうち他方の当該の隣接するリングと相互に交番するモードで配置構成されるものである。このような交番配置モードで、洗浄すべきＬＣＤパネルと接触するブラシセット１２の面積を増大させることができる。
【００１２】
明細書の記載と、本考案の図面に示した形状は、本考案の好ましい実施形態を例示するためだけのものであって、本考案の範囲を限縮するものではない。本考案の精神、範囲、および特徴的要件から逸脱することなく、ブリッスルを他の材料で作成できる等の様々な変化実施形態または変更を行うことができ、それらの変化実施形態または変更は、実用新案登録請求の範囲内にはいるものであり、本願の考案部分を形成するものであることは、当業者にとって明らかなことである。
【図面の簡単な説明】
【００１３】
【図１】本考案の好ましい実施形態の外観を示す斜視図である。
【図２】図１の構成を切断して示す断面図である。
【図３】本考案の別の好ましい実施形態の外観を示す分解斜視図である。
【図４】図３の構成を切断して示す断面図である。
【符号の説明】
【００１４】
１１    管セット
１２    ブラシセット
１３    ブラシ固定手段
１１１    外管
１１２    内管
１２１    第１螺旋状ブラシ
１２２    第２螺旋状ブラシ
１２１ａ    シャンク
１２２ａ    シャンク
１２１ｂ    ブリッスル
１２２ｂ    ブリッスル
【図１】
0003129603.tif 000003
【図２】
0003129603.tif 000004
【図３】
0003129603.tif 000005
【図４】
0003129603.tif 000006